(57)【要約】【課題】操作部を使用者が操作した際における使用者の手の動きおよび操作部の動きを電波センサが誤って検知してしまうことを抑制することができる水周り装置を提供する。【解決手段】吐水口を有する吐水部と、前記吐水部の吐水口からの吐水状態を操作する操作部と、前記吐水口から吐水される吐水流を受ける水受け部と、電波を放射すると共に前記電波の反射波を受信して使用者の動作を検知する電波センサ部とを備えた水周り装置において、前記電波センサ部と前記操作部とが、前記水受け部の後方かつ前記水受け部のあふれ面より上方に設置され、前記操作部および前記操作部を操作する使用者の手の動く範囲を含む操作領域が、前記電波センサ部の形成する検知領域より外側に配置されていることを特徴とする。【選択図】図２
2017172125.tif 000002
【特許請求の範囲】
【請求項１】
吐水口を有する吐水部と、前記吐水部の吐水口からの吐水状態を操作する操作部と、前記吐水口から吐水される吐水流を受ける水受け部と、電波を放射すると共に前記電波の反射波を受信して使用者の動作を検知する電波センサ部とを備えた水周り装置において、
前記電波センサ部と前記操作部とが、前記水受け部の後方かつ前記水受け部のあふれ面より上方に設置され、
前記操作部および前記操作部を操作する使用者の手の動く範囲を含む操作領域が、前記電波センサ部の形成する検知領域より外側に配置されていることを特徴とする水周り装置。
【請求項２】
前記吐水部の吐水口が、前記電波センサ部と前記操作部との間に配置されていることを特徴とする請求項１に記載の水周り装置。
【請求項３】
前記操作部が、正面視で前記吐水部の吐水口から水平方向に離間した位置に設置され、
前記電波センサ部が、正面視で前記吐水部の吐水口を通る仮想鉛直線上に配置されると共に前記吐水部の吐水口より上方に配置され、
前記検知領域が、前記吐水部の吐水口を含むように下方に向けて形成されていることを特徴とする請求項１に記載の水周り装置。
【請求項４】
前記電波センサ部が、前記吐水部の吐水口よりも前方に設置されていることを特徴とする請求項１または請求項３に記載の水周り装置。
【請求項５】
前記操作部が、正面視で前記吐水部の吐水口から水平方向に離間した位置に設置され、
前記操作部が、回転軸を中心に回転操作される操作レバーを有しており、
前記操作部の操作レバーが、回転操作範囲内に回転操作を制限されていることを特徴とする請求項１乃至請求項４のいずれか１項に記載の水周り装置。
【請求項６】
前記電波センサ部が、前記検知領域を調整する指向性制御手段を有していることを特徴とする請求項１乃至請求項５のいずれか１項に記載の水周り装置。
【請求項７】
前記電波センサ部から放射される電波を減衰させる電波減衰部材が、前記電波センサ部と前記操作部との間に配置されていることを特徴とする請求項１乃至請求項６のいずれか１項に記載の水周り装置。
【発明の詳細な説明】
【技術分野】
【０００１】
本発明は、水周り装置に関し、特に電波センサを用いて被検知体を検知する水周り装置に関する。
【背景技術】
【０００２】
従来、使用者を検知する人体検知センサと、水の吐出を操作する操作部と、を備えた水周り装置が知られている（たとえば、特許文献１参照））。
上述の特許文献のような水周り装置において、一般的に操作部や吐水部や人体検知センサなどの機能部品は近傍に集約され設置されている。
また、人体検知センサとして一般的に赤外線センサが使用されている。
【０００３】
また近年、水周り装置において、人体検知センサを使用者から見えない位置に隠蔽して設置することでデザイン性を向上させるという需要があり、この需要に対応するために、人体検知センサとして電波センサを使用することが検討されている。
【先行技術文献】
【特許文献】
【０００４】
【特許文献１】特開２０１１−０６７４５３号公報（特に図５）
【発明の概要】
【発明が解決しようとする課題】
【０００５】
しかしながら、人体検知センサとして電波センサを用いる場合、検知範囲が赤外線センサより広いため、従来技術の水周り装置のような位置に人体検知センサを設置してしまうと、使用者が操作部を操作する際の手の動きを電波センサが検知してしまう恐れがある。
【０００６】
そこで、本発明は、前述したような従来技術の問題を解決するものであって、すなわち、本発明の目的は、電波センサと操作部を有した水周り装置において、操作部を使用者が操作した際における使用者の手の動きおよび操作部の動きを電波センサが誤って検知してしまうことを抑制することである。
【課題を解決するための手段】
【０００７】
請求項１に係る発明は、吐水口を有する吐水部と、前記吐水部の吐水口からの吐水状態を操作する操作部と、前記吐水口から吐水される吐水流を受ける水受け部と、電波を放射すると共に前記電波の反射波を受信して使用者の動作を検知する電波センサ部とを備えた水周り装置において、前記電波センサ部と前記操作部とが、前記水受け部の後方かつ前記水受け部のあふれ面より上方に設置され、前記操作部および前記操作部を操作する使用者の手の動く範囲を含む操作領域が、前記電波センサ部の形成する検知領域より外側に配置されていることを特徴とする水周り装置である。
【０００８】
この水周り装置によれば、操作部および操作部を操作する使用者の手の動く範囲を含む操作領域が、電波センサ部の形成する検知領域より外側に配置されていることで、操作部を操作する使用者の手の動きおよび操作部の動きを電波センサ部が検知しにくくなるため、操作部を使用者が操作した際における使用者の手の動きおよび操作部の動きを電波センサ部が誤って検知してしまうことを抑制することができる。
【０００９】
請求項２に係る発明は、請求項１に記載された水周り装置の構成に加えて、前記吐水部の吐水口が、前記電波センサ部と前記操作部との間に配置されていることを特徴とする水周り装置である。
【００１０】
この水周り装置によれば、請求項１に係る発明が奏する効果に加え、吐水部の吐水口が、電波センサ部と操作部との間に配置されていることで、電波センサ部が形成する検知領域と操作領域とが離間して配置されるため、検知領域と操作領域とがより干渉しにくくなり、操作部を使用者が操作した際における使用者の手の動きおよび操作部の動きを電波センサ部が誤って検知してしまうことをさらに抑制することができる。
【００１１】
請求項３に係る発明は、請求項１に記載された水周り装置の構成に加えて、前記操作部が、前記吐水部に対し横方向に設置され、前記電波センサ部が、前記吐水部の吐水口を通る仮想鉛直線上に配置されると共に前記吐水部の吐水口より上方に配置され、前記検知領域が、前記吐水部の吐水口を含むように下方に向けて形成されていることを特徴とする水周り装置である。
【００１２】
この水周り装置によれば、請求項１に係る発明が奏する効果に加え、前記電波センサ部が、吐水部の吐水口を通る仮想鉛直線上に配置されると共に吐水部の吐水口より上方に配置され、検知領域が、吐水口を含むよう下方に向けて形成されていることで、電波センサ部の形成する検知領域を操作部以外の方向に向けて形成可能となるため、検知領域と操作領域とがより干渉しにくくなり、操作部を使用者が操作した際における使用者の手の動きおよび操作部の動きを電波センサ部が誤って検知してしまうことをさらに抑制することができる。
【００１３】
請求項４に係る発明は、請求項１または請求項３に記載された発明の水周り装置の構成に加えて、前記電波センサ部が、前記吐水部の吐水口よりも前方に設置されていることを特徴とする水周り装置である。
【００１４】
一般に吐水を開始させたいとき、使用者は手を吐水口の近傍で吐水流の軌跡に当たるように差し出す。
そのため、この水周り装置によれば、請求項１または請求項３に係る発明が奏する効果に加え、電波センサ部が、吐水部の吐水口よりも前方に設置されていることで、電波センサ部から放射される電波が吐水部に反射することを抑制され、電波センサ部の形成する検知領域を吐水口から吐水される吐水流と吐水口近傍で交わるように形成できるため、検知領域内で吐水させたい使用者の手が動くようになり、吐水させたい使用者の手の動きをより検知しやすくすることができる。
【００１５】
請求項５に係る発明は、請求項１乃至請求項４のいずれか１項に記載された水周り装置の構成に加えて、前記操作部が、正面視で前記吐水部の吐水口から水平方向に離間した位置に設置され、前記操作部が、回転軸を中心に回転操作される操作レバーを有しており、前記操作部の操作レバーが、回転操作範囲内に回転操作を制限されていることを特徴とする水周り装置である。
【００１６】
この水周り装置によれば、請求項１乃至請求項４のいずれか１項に係る発明が奏する効果に加え、操作部の操作レバーの回転操作範囲を制限することで、操作レバーを操作させた場合でも、検知領域と操作領域とが干渉しにくくなるため、操作レバーを使用者が操作した際における使用者の手の動きおよび操作レバー自体の動きを電波センサ部が誤って検知してしまうことをさらに抑制することができる。
【００１７】
請求項６に係る発明は、請求項１乃至請求項５のいずれか１項に記載された水周り装置の構成に加えて、前記電波センサ部が、前記検知領域を調整する指向性制御手段を有していることを特徴とする水周り装置である。
【００１８】
この水周り装置によれば、請求項１乃至請求項５のいずれか１項に係る発明が奏する効果に加え、電波センサ部が、検知領域を調整する指向性制御手段を有していることで、検知領域の範囲を調整可能となるため、検知領域を鋭く形成して検知領域と操作領域とをより干渉しにくくすることができ、操作部を使用者が操作した際における使用者の手の動きおよび操作部の動きを電波センサ部が誤って検知してしまうことをさらに抑制することができる。
【００１９】
請求項７に係る発明は、請求項１乃至請求項６のいずれか１項に記載された水周り装置の構成に加えて、前記電波センサ部から放射される電波を減衰させる電波減衰部材が、前記電波センサ部と前記操作部との間に配置されていることを特徴とする水周り装置である。
【００２０】
この水周り装置によれば、請求項１乃至請求項６のいずれか１項に係る発明が奏する効果に加え、電波センサ部から放射される電波を減衰させる電波減衰部材が、電波センサ部と操作部との間に配置されていることで、電波センサ部から放射される電波が操作部方向に伝搬しにくくなることで、検知領域と操作領域とがより干渉しにくくなるため、操作部を使用者が操作した際における使用者の手の動きおよび操作部の動きを電波センサ部が誤って検知してしまうことをさらに抑制することができる。
【発明の効果】
【００２１】
本発明によれば、操作部を使用者が操作した際における使用者の手の動きおよび操作部の動きを電波センサが誤って検知してしまうことを抑制することができる水周り装置を提供することができる。
【図面の簡単な説明】
【００２２】
【図１】本発明の第一実施形態における水周り装置の斜視図である。
【図２】本発明の第一実施形態における水周り装置の正面図である。
【図３】本発明の第二実施形態における水周り装置の正面図である。
【図４】図３のＩＶ−ＩＶ断面図である。
【図５】本発明の第三実施形態における水周り装置の側面断面図である。
【発明を実施するための形態】
【００２３】
以下、本発明の実施の形態について図面を参照しつつ説明する。なお、各図面中、同様の構成要素には同一の符号を付して詳細な説明は適宜省略する。
【００２４】
＜１．第一実施形態の構成＞
図１および図２を参照して、本発明の第一実施形態に係る水周り装置の構成について説明する。
図１は本発明の第一実施形態における水周り装置の斜視図であり、図２は本発明の第一実施形態における水周り装置の正面図である。
【００２５】
図１に示すように、本発明の第一実施形態の水周り装置１００は、吐水口１２１を有し水を吐出する吐水部１２０と、吐水部１２０から吐出された吐水流を受ける水受け部１１０と、吐水部１２０の吐水口１２１から吐出される吐水流の流量や温度などを調整できる操作部１３０と、被検知体（使用者の手等）を検知するための電波センサ部１４０と、この電波センサ部１４０から放射された電波を減衰させる電波減衰部材１５０とを備えている。
【００２６】
水受け部１１０は、吐水部１２０の吐水口１２１から吐出される水流を受けることができるように凹形状をしている。
そして、水受け部１１０を満水状態にした場合に、水受け部１１０から水のあふれる位置に形成された面があふれ面１１１である。
また、水受け部１１０は、陶器または樹脂等で形成されている。
【００２７】
操作部１３０は、使用者が握りやすいように細長い棒状の形状をした操作レバー１３１と、操作レバー１３１の接続部となる基部１３２を有している。
図２に示すように、操作部１３０は、正面視で、回転軸Ｃを中心として左右方向に回転操作することができる。
使用者が操作レバー１３１を握って操作部１３０を回転操作することで、吐水部１２０の吐水口１２１から吐水される吐水流Ｆの流量や温度等が調節される。
使用者が操作部１３０を操作する際に使用者の手Ｈと、操作部１３０とが動く領域が操作領域Ｅ２であり、操作領域Ｅ２は、検知領域Ｅ１の外側に配置されており、検知領域Ｅ１とは重ならない。
【００２８】
操作部１３０の可動範囲が回転操作範囲Ｅ３に制限されていることで、使用者が操作部１３０を操作する際に使用者の手Ｈと、操作部１３０とが動く操作領域Ｅ２は制限される。
【００２９】
吐水口１２１は、操作部１３０と、電波センサ部１４０との間に配置されている。
すなわち、操作部１３０は、正面視で吐水口１２１から水平方向に離間した位置に配置されている。
【００３０】
電波センサ部１４０は、電波センサ１４１と、指向性制御手段１４２を有しており、水受け部１１０のあふれ面１１１より上方かつ、水受け部１１０の後方部分の内部に設置されている。
【００３１】
電波センサ１４１は、特定の周波数帯域（例えば約１０ＧＨｚ又は約２４ＧＨｚ帯域）のマイクロ波ドップラセンサである。
電波センサ１４１は、電波を放射し、被検知体によって反射された反射波を受信して、被検知体の動きに基づいて吐水部１２０の吐水口１２１からの吐止水を制御する。
【００３２】
図２に示すように、一般に使用者が吐水を開始させたいとき、使用者は手Ｈを吐水口１２１の近傍で吐水流の軌跡に当たるように差し出す。
そこで、電波センサ１４１は、差し出された手Ｈを検知するために、吐水口１２１に向けて電波を放射しており、吐水口１２１を含むように検知領域Ｅ１を形成している。
【００３３】
指向性制御手段１４２は、電波センサ１４１の電波放射面１４１ａに配置されている。
電波センサ１４１から放射された電波は、指向性制御手段１４２を通ることで指向性を制御され、指向性制御手段１４２を持たない場合より鋭い指向性となっている。
これにより、検知領域Ｅ１も鋭く形成されている。
【００３４】
電波減衰部材１５０は、電波センサ部１４０から放射された電波を減衰させる部材である。
電波減衰部材１５０は、電波センサ部１４０から放射された電波のうち操作領域Ｅ２に向けて放射される電波を減衰または反射させるように、電波センサ部１４０と、操作部１３０との間に設置されている。
＜２．第一実施形態の作用効果＞
【００３５】
このようにして得られた本発明の第一実施形態である水周り装置１００は、操作部１３０および操作部１３０を操作する使用者の手Ｈの動く範囲を含む操作領域Ｅ２が、電波センサ部１４０の形成する検知領域Ｅ１より外側に配置されていることで、操作部１３０を操作する使用者の手Ｈの動きおよび操作部１３０の動きを電波センサ部１４０が検知しにくくなるため、操作部１３０を使用者が操作した際における使用者の手Ｈの動きおよび操作部１３０の動きを電波センサ部１４０が誤って検知してしまうことを抑制することができる。
【００３６】
また、吐水部１２０の吐水口１２１が、電波センサ部１４０と操作部１３０との間に配置されていることで、電波センサ部１４０が形成する検知領域Ｅ１と操作領域Ｅ２とが離間して配置されるため、検知領域Ｅ１と操作領域Ｅ２とがより干渉しにくくなり、操作部１３０を使用者が操作した際における使用者の手Ｈの動きおよび操作部１３０の動きを電波センサ部１４０が誤って検知してしまうことをさらに抑制することができる。
【００３７】
さらに、操作部１３０が、回転操作範囲Ｅ３内に回転操作を制限されていることで、操作部１３０が操作された場合でも、検知領域Ｅ１と操作領域Ｅ２とが干渉しにくくなるため、操作部１３０を使用者が操作した際における使用者の手Ｈの動きおよび操作部１３０の動きを電波センサ部１４０が誤って検知してしまうことをさらに抑制することができる。
【００３８】
また、電波センサ部１４０が、検知領域Ｅ１を調整する指向性制御手段１４２を有していることで、検知領域Ｅ１の範囲を調整可能となるため、検知領域Ｅ１を鋭く形成して検知領域Ｅ１と操作領域Ｅ２とをより干渉しにくくすることができ、操作部１３０を使用者が操作した際における使用者の手Ｈの動きおよび操作部１３０の動きを電波センサ部１４０が誤って検知してしまうことをさらに抑制することができる。
【００３９】
さらに、電波センサ部１４０から放射される電波を減衰させる電波減衰部材１５０が、電波センサ部１４０と操作部１３０との間に配置されていることで、電波センサ部１４０から放射される電波が操作部１３０の方向に伝搬しにくくなることで、検知領域Ｅ１と操作領域Ｅ２とがより干渉しにくくなるため、操作部１３０を使用者が操作した際における使用者の手Ｈの動きおよび操作部１３０の動きを電波センサ部１４０が誤って検知してしまうことをさらに抑制することができる。
＜３．第二実施形態の構成＞
【００４０】
続いて、図３および図４を参照して、本発明の第二実施形態に係る水周り装置の構成について説明する。
図３は本発明の第二実施形態における水周り装置の正面図であり、図４は図３のＩＶ−ＩＶ断面図である。
【００４１】
第二実施形態の水周り装置２００は、第一実施形態の水周り装置１００の電波センサ部１４０の設置位置と角度とを変更したものであり、多くの要素について第一実施形態の水周り装置１００と共通するので、共通する事項については詳しい説明を省略し、下２桁が共通する２００番台の符号を付すのみとする。
【００４２】
図３および図４に示すように、本発明の第二実施形態の水周り装置２００において、電波センサ部２４０は、吐水口２２１より上方かつ吐水口２２１を通る仮想鉛直線Ｌ上に配置されている。
【００４３】
電波センサ部２４０は、差し出された手Ｈを検知するために、吐水口２２１に向けて下方に電波を放射しており、吐水口２２１を含むように下方に向けて検知領域Ｅ１を形成している。
また、検知領域Ｅ１は、操作領域Ｅ２の外側に配置されており、操作領域Ｅ２とは重ならないように形成されている。
【００４４】
操作部２３０は、正面視で吐水部２２０および吐水口２２１から水平方向に離間した位置に配置されている。
＜４．第二実施形態の作用効果＞
【００４５】
このようにして得られた本発明の第二実施形態である水周り装置２００は、操作部２３０および操作部２３０を操作する使用者の手Ｈの動く範囲を含む操作領域Ｅ２が、電波センサ部２４０の形成する検知領域Ｅ１より外側に配置されていることで、操作部２３０を操作する使用者の手Ｈの動きおよび操作部２３０の動きを電波センサ部２４０が検知しにくくなるため、操作部２３０を使用者が操作した際における使用者の手Ｈの動きおよび操作部２３０の動きを電波センサ部２４０が誤って検知してしまうことを抑制することができる。
【００４６】
また、検知領域Ｅ１が吐水部２２０の吐水口２２１を含むように下方に向けて形成されていることで、検知領域Ｅ１の形成方向が操作領域Ｅ２とは異なる方向になり、検知領域Ｅ１と操作領域Ｅ２とが干渉しにくくなるため、操作部２３０を使用者が操作した際における使用者の手Ｈの動きおよび操作部２３０の動きを電波センサ部２４０が誤って検知してしまうことをさらに抑制することができる。
【００４７】
さらに、操作部２３０が、回転操作範囲Ｅ３内に回転操作を制限されていることで、操作部２３０が操作された場合でも、検知領域Ｅ１と操作領域Ｅ２とが干渉しにくくなるため、操作部２３０を使用者が操作した際における使用者の手Ｈの動きおよび操作部２３０の動きを電波センサ部２４０が誤って検知してしまうことをさらに抑制することができる。
【００４８】
また、電波センサ部２４０が、検知領域Ｅ１を調整する指向性制御手段２４２を有していることで、検知領域Ｅ１の範囲を調整可能となるため、検知領域Ｅ１を鋭く形成して検知領域Ｅ１と操作領域Ｅ２とをより干渉しにくくすることができ、操作部２３０を使用者が操作した際における使用者の手Ｈの動きおよび操作部２３０の動きを電波センサ部２４０が誤って検知してしまうことをさらに抑制することができる。
【００４９】
さらに、電波センサ部２４０から放射される電波を減衰させる電波減衰部材２５０が、電波センサ部２４０と操作部２３０との間に配置されていることで、電波センサ部２４０から放射される電波が操作部２３０の方向に伝搬しにくくなることで、検知領域Ｅ１と操作領域Ｅ２とがより干渉しにくくなるため、操作部２３０を使用者が操作した際における使用者の手Ｈの動きおよび操作部２３０の動きを電波センサ部２４０が誤って検知してしまうことをさらに抑制することができる。
＜５．第三実施形態の構成＞
【００５０】
続いて、図５を参照して、第三実施形態に係る水周り装置の構成について説明する。
図５は、本発明の第三実施形態における水周り装置における側面断面図であり、図４と同じ位置における断面である。
【００５１】
第三実施形態の水周り装置３００は、第一実施形態の水周り装置１００の電波センサ部１４０の設置位置と角度とを変更したものであり、多くの要素について第二実施形態の水周り装置１００と共通するので、共通する事項については詳しい説明を省略し、下２桁が共通する３００番台の符号を付すのみとする。
【００５２】
図４に示すように、本発明の第二実施形態の水周り装置２００において、電波センサ部２４０は、吐水部２２０の吐水口２２１を通る仮想鉛直線Ｌ上に配置されていた。
このように電波センサ部２４０を配置すると、電波センサ部２４０が、吐水部２２０の吐水口２２１に対して前後方向で同一の位置に設置されていることで、電波センサ部２４０が放射した電波が吐水部２２０に当たり反射してしまう。
これにより、前方に放射される電波が多く下方に放射される電波が少ない指向性になってしまう。
そのため、吐水部２２０の吐水口２２１の下方における検知領域Ｅ１の範囲が小さく形成され、吐水部２２０の吐水口２２１の下方に差し出された手Ｈを検知しにくくなる。
【００５３】
これに対して、本発明の第三実施形態の水周り装置３００においては、図６に示すように、電波センサ部３４０が、吐水部３２０の吐水口３２１よりも前方に設置されている。
なお、正面視における電波センサ部３４０の配置は、第一実施形態のように吐水部３２０の吐水口３２１より左側に配置（すなわち、吐水口３２１が操作部３３０と電波センサ部３４０との間に配置される）してもよいし、第二実施形態のように吐水口３２１を通る仮想鉛直線上に配置してもよい。
＜６．第三実施形態の作用効果＞
【００５４】
このようにして得られた本発明の第三実施形態である水周り装置３００は、操作部３３０および操作部３３０を操作する使用者の手Ｈの動く範囲を含む操作領域Ｅ２が、電波センサ部３４０の形成する検知領域Ｅ１より外側に配置されていることで、操作部３３０を操作する使用者の手Ｈの動きおよび操作部１３０の動きを電波センサ部３４０が検知しにくくなるため、操作部３３０を使用者が操作した際における使用者の手Ｈの動きおよび操作部３３０の動きを電波センサ部３４０が誤って検知してしまうことを抑制することができる。
【００５５】
また、吐水部３２０の吐水口３２１が、電波センサ部３４０と操作部３３０との間に配置されていることで、電波センサ部３４０が形成する検知領域Ｅ１と操作領域Ｅ２とが離間して配置されるため、検知領域Ｅ１と操作領域Ｅ２とがより干渉しにくくなり、操作部３３０を使用者が操作した際における使用者の手Ｈの動きおよび操作部３３０の動きを電波センサ部３４０が誤って検知してしまうことをさらに抑制することができる。
【００５６】
さらに、検知領域Ｅ１が吐水部３２０の吐水口３２１を含むように下方に向けて形成されていることで、検知領域Ｅ１の形成方向が操作領域Ｅ２とは異なる方向になり、検知領域Ｅ１と操作領域Ｅ２とが干渉しにくくなるため、操作部３３０を使用者が操作した際における使用者の手Ｈの動きおよび操作部３３０の動きを電波センサ部３４０が誤って検知してしまうことをさらに抑制することができる。
【００５７】
また、電波センサ部３４０が、吐水部３２０の吐水口３２１よりも前方に設置されていることで、電波センサ部３４０が放射した電波が吐水部３２０に当たり反射する量を少なくでき、前方に放射される電波が少なく下方に放射される電波が多い指向性になり、吐水部３２０の吐水口３２１の下方における検知領域Ｅ１の範囲を大きく形成され、吐水部３２０の吐水口３２１の下方に差し出された手Ｈを検知し易くなる。
【００５８】
さらに、操作部３３０が、回転操作範囲Ｅ３内に回転操作を制限されていることで、操作部３３０が操作された場合でも、検知領域Ｅ１と操作領域Ｅ２とが干渉しにくくなるため、操作部３３０を使用者が操作した際における使用者の手Ｈの動きおよび操作部３３０の動きを電波センサ部３４０が誤って検知してしまうことをさらに抑制することができる。
【００５９】
また、電波センサ部３４０が、検知領域Ｅ１を調整する指向性制御手段３４２を有していることで、検知領域Ｅ１の範囲を調整可能となるため、検知領域Ｅ１を鋭く形成して検知領域Ｅ１と操作領域Ｅ２とをより干渉しにくくすることができ、操作部３３０を使用者が操作した際における使用者の手Ｈの動きおよび操作部３３０の動きを電波センサ部３４０が誤って検知してしまうことをさらに抑制することができる。
【００６０】
さらに、電波センサ部３４０から放射される電波を減衰させる電波減衰部材３５０が、電波センサ部３４０と操作部３３０との間に配置されていることで、電波センサ部３４０から放射される電波が操作部３３０の方向に伝搬しにくくなることで、検知領域Ｅ１と操作領域Ｅ２とがより干渉しにくくなるため、操作部３３０を使用者が操作した際における使用者の手Ｈの動きおよび操作部３３０の動きを電波センサ部３４０が誤って検知してしまうことをさらに抑制することができる。
＜７．変形例＞
以上、本発明を実施するための形態について説明したが、本発明は上記に限定されるものではない。
【００６１】
例えば、本発明を実施するための形態では、水周り装置が吐水部と水受け部と操作部とセンサ部とを備える構成であり、これらの構成を備えていれば如何なるものであってもよい。
例えば、鏡を有する洗面化粧台であってもよいし、浄水器用の吐水部を有するキッチンであってもよい。
【００６２】
また、操作部の操作レバーは、細長い棒状の形状をしていたが、使用者が握れるものなら如何なる形状でもよく、例えばリング状の形状をしていてもよい。
【００６３】
また、操作部は、使用者が操作することで、流量や温度を調節することができるとしていたが、円柱状やシャワー状などの吐水形状を変更するものであってもよい。
【００６４】
また、前述した実施形態が備える各要素は技術的に可能である限り組み合わせることができ、これらを組み合わせたものも本発明の特徴を含む限り本発明の範囲に包含される。
【符号の説明】
【００６５】
１００  、２００  、３００    水周り装置
１１０  、２１０  、３１０    水受け部
１１１  、２１１  、３１１    あふれ面
１２０  、２２０  、３２０    吐水部
１２１  、２２１  、３２１    吐水口
１３０  、２３０  、３３０    操作部
１３１  、２３１  、３３１    操作レバー
１３２  、２３２  、３３２    基部
１４０  、２４０  、３４０    電波センサ部
１４１  、２４１  、３４１    電波センサ
１４１ａ、２４１ａ、３４１ａ  電波放射面
１４２  、２４２  、３４２    指向性制御手段
１５０  、２５０  、３５０    電波減衰部材
Ｈ                            使用者の手
Ｆ                            吐水流
Ｌ                            仮想鉛直線
Ｅ１                          電波センサの検知領域
Ｅ２                          操作領域
Ｅ３                          回転操作範囲
Ｃ                            回転軸
【図１】
2017172125.tif 000003
【図２】
2017172125.tif 000004
【図３】
2017172125.tif 000005
【図４】
2017172125.tif 000006
【図５】
2017172125.tif 000007